【事件の表示】
　特許第２７５７０９３号「無偏波分散型光アイソレータ」の請求項１ないし２に係る特許に対する特許異議の申立てについて、次のとおり決定する。
【結論】
　訂正を認める。
　特許第２７５７０９３号の請求項１ないし２に係る特許を維持する。
【理由】
（１）手続きの経緯
　本件特許第２７５７０９３号発明は、平成４年４月２０日に特許出願され、平成１０年３月１３日にその発明の特許がなされ、その後、京セラ株式会社より特許異議の申立てがなされ、取消理由通知がなされ、その指定期間内である平成１１年４月１５日に訂正請求がなされたものである。
（２）訂正の適否についての判断
▲１▼特許請求の範囲の訂正
ア．訂正明細書の請求項１に係る発明
　訂正明細書の請求項１に係る発明は、その特許請求の範囲の請求項１に特定された次のとおりのものである。
　「【請求項１】４５度ファラデー回転子の両側に楔形複屈折板を配設した非相反部と、その両側に位置するファイバーコリメー夕を具備する偏波依存型の光アイソレー夕において、前記非相反部と一方のファイバーコリメー夕との間に平行平板形複屈折板を挿入し、前記の両楔形複屈折板と平行平板形複屈折板は、それらの光学軸が入射光線に対して垂直な面内にあるように切り出されており、該平行平板形複屈折板とそれに隣り合う楔形複屈折板の光学軸を９０度ずらせて固定したことを特徴とする無偏波分散型光アイソレー夕。」
▲２▼発明の詳細な説明の訂正
ア．明細書中の段落【０００９】第５行乃至第６行（特許掲載公報第４欄第７行）の「挿入し、」を「挿入し、前記の両楔形複屈折板と平行平板形複屈折板は、それらの光学軸が入射光線に対して垂直な面内にあるように切り出されており、」と訂正する。
▲３▼訂正の目的の適否及び拡張・変更の存否等
　上記訂正▲１▼は、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正▲２▼は、特許請求の範囲の訂正に付随する訂正であるから、発明の詳細な説明の欄中の明瞭でない記載の釈明を目的とするものであり、願書に添付した明細書又は図面に記載された事項の範囲内のものであり、新規事項の追加もない。
▲４▼独立特許要件の判断
（引用刊行物に記載された発明）
訂正前明細書の請求項１、２に係る発明に対して、当審が通知した取消理由で引用した（特願平４−２７４８８８号〔特開平７−２８１１２８号公報〕）（以下「第１引用例」という。）には、「４５度ファラデー回転子１２の両側に複屈折ウエッジ１４，１６を配設した非相反部と、その両側に位置する固定装置４８，５２を具備する偏波依存型の光アイソレー夕において、前記非相反部と一方の固定装置５２との間に平行平板形複屈折プレート２２を挿入し、前記の両複屈折ウエッジ１４、１６は、それらの光学軸が入射光線に対して傾斜した面内にあるように切り出され、平行平板形複屈折プレート２２は、その光学軸が入射光線に対して垂直な面内にあるように切り出されており、該平行平板形複屈折プレート２２とそれに隣り合う楔形複屈折ウエッジ１６の光学軸を９０度ずらせて固定したことを特徴とする無偏波分散型光アイソレータ。」が記載され、同じく引用した特公昭６１−５８８０９号公報（以下「第２引用例」という。）には、「４５度ファラデー回転子１２の両側に楔形複屈折物質１１，１１’を配設した非相反部と、その両側に位置するレンズ（イ）、（ロ）及び光ファイバ１、４を具備する光アイソレータ。」が記載され、同じく引用した特開平１−２８７５２８号公報（以下「第３引用例」という。）には、「対向する２つの光ファイバ３１，３２の間に、少なくとも４枚の平行平板の複屈折結晶１，２，３，４と、少なくとも１枚の４５゜ファラデー回転子５と、少なくとも１個の集光用レンズ３３を有する光アイソレータにおいて、順方向の光に含まれる異なる偏光成分の通過長が等しくなるように、前記各複屈折結晶の厚さ及び光学軸の方向を設定した光アイソレータ。」が記載され、同じく引用した応用物理学会光学懇話会編「結晶光学」（昭和５７年第１版）第１７５〜１８４頁（以下「第４引用例」という。）には、「複屈折結晶がその固有偏光（Ｖ．Ｐ．）の間に位相差を与える素子（移相子）となること、および、ある偏光を補償子のＶ．Ｐ．である偏光成分に分解し、両者の位相差を打ち消すような新しい位相差を、２枚の楔または平行平板を互いに摺動または回転させて、付加する補償子。」が記載されている。
（請求項１に係る発明についての対比・判断）
＜第２９条の２＞
　本件請求項１に係る発明と第１引用例に記載の発明とを対比すると、本件請求項１に係る発明の「４５度ファラデー回転子」、「楔形複屈折板」、「複屈折板」は、夫々第１引用例に記載の発明の「４５度ファラデー回転子」、「複屈折ウエッジ１４，１６」、「複屈折プレート２２」に相当するから、両者は、４５度ファラデー回転子の両側に楔形複屈折板を配設した非相反部と、その両側に位置する部材を具備する偏波依存型の光アイソレータにおいて、前記非相反部と一方の部材との間に平行平板形複屈折板を挿入し、前記の平行平板形複屈折板は、それらの光学軸が入射光線に対して垂直な面内にあるように切り出されており、該平行平板形複屈折板とそれに隣り合う楔形複屈折板の光学軸を９０度ずらせて固定したことを特徴とする無偏波分散型光アイソレータ、で一致し、
Ａ部材が、本件請求項１に係る発明はファイバーコリメータであるのに対して、第１引用例に記載の発明は、固定装置４８，５２である点、
Ｂ楔形複屈折板の光学軸が、本件請求項１に係る発明は入射光線に対して垂直な面内にあるのに対して、第１引用例に記載の発明は、入射光線に対して傾斜した面内にある点で相違する。
　そして、これらの相違点Ａ，Ｂは、自明な事項または技術常識であるとも認められないから、両者が同一であるとすることはできない。
＜第２９条第２項＞
　先ず、本件請求項１に係る発明と第２引用例に記載の発明とを対比すると、本件請求項１に係る発明の「４５度ファラデー回転子」、「複屈折板」は、夫々第２引用例に記載の発明の「４５度ファラデー回転子１２」、「複屈折物質１１，１１’」に相当するから、両者は、４５度ファラデー回転子の両側に楔形複屈折板を配設した非相反部と、その両側に位置する光学部材を具備する光アイソレータで一致し、
Ｃ本件請求項１に係る発明は、偏波無依存型の光アイソレータであるのに対して、第２引用例に記載の発明は、その点に関する記載が無い点、
Ｄ光学部材が、本件請求項１に係る発明は、ファイバコリメー夕であるのに対して、第２引用例に記載の発明は、レンズ（イ）、（ロ）及び光ファイバ１，４である点、
Ｅ本件請求項１に係る発明は、前記非相反部と一方のファイバーコリメー夕との間に平行平板形複屈折板を挿入し、前記の両楔形複屈折板と平行平板形複屈折板は、それらの光学軸が入射光線に対して垂直な面内にあるように切り出されており、該平行平板形複屈折板とそれに隣り合う楔形複屈折板の光学軸を９０度ずらせて固定したことを特徴とする無偏波分散型光アイソレー夕であるのに対して、第２引用例に記載の発明は、その点に関する記載が無い点で相違する。
　次に、本件請求項１に係る発明と第３引用例に記載の発明とを対比すると、本件請求項１に係る発明の「４５度ファラデー回転子」は、第３引用例に記載の発明の「４５°ファラデー回転子５」に相当するから、両者は、４５度ファラデー回転子の両側に複屈折板を配設した光アイソレー夕で一致し、その余の構成が相違する。
　最後に、本件請求項１に係る発明と第４引用例に記載の発明とを対比すると、後者には、複屈折結晶が移相子となること、および、２枚の楔または平行平板を互いに摺動または回転させる補償子が記載されているだけで、前者の殆ど全ての構成を有しない。
　してみると、上記第２〜４引用例に記載の発明は、本件請求項１に係る発明の構成の一部である上記Ｃ、Ｄ及びＥの構成を有しない。
　そして、本件請求項１に係る発明は、上記Ｃ、Ｄ及びＥの点を有することによって、「両楔形複屈折板と平行平板形複屈折板で常光と異常光とが変換され、分離光の光線速度差が打ち消されるため偏波分散を抑えることができる。つまり従来、偏波分散の生じていた偏波無依存型光アイソレータを無偏波分散型にすることができる。これによって光アイソレータを通過する際の光信号の崩れ・乱れを最小限に抑え、遠距離・高速光通信（例えば１０Ｇｂｉｔ／ｓ以上）で正確な情報伝達が可能となる。」という明細書記載の作用効果を奏するものであるから、前者が、後者に記載された発明であるとも、後者に記載された発明に基づいて、当業者が容易に推考することができたものともいえない。
　したがって、本件請求項１に係る発明は特許出願の際独立して特許を受けることができない発明とすることはできない。
▲５▼むすび
　以上のとおりであるから、上記訂正請求は、特許法等の一部を改正する法律（平成６年法律第１１６号）附則第６条第１項の規定によりなお従前の例によるとされる、特許法第１２０条の４第２項及び第３項で準用する第１２６条第２−４項の規定に適合するので、当該訂正を認める。
（３）特許異議の申立てについての判断
ア．申立ての理由の概要
　申立人京セラ　株式会社は、証拠として甲第１号証（特願平４−２７４８８８号〔特開平７−２８１１２８号公報〕）、甲第２号証（特公昭６１−５８８０９号公報）、甲第３号証（特開平１−２８７５２８号公報）、甲第４号証（応用物理学会光学懇話会編「結晶光学」（昭和５７年第１版）第１７５〜１８４頁）を提出し、訂正前の請求項１および２に係る発明は、特許法第２９条の２の規定に違反してなされたものであるから、特許を取り消すべき旨主張し、また、請求項１，２に係る発明は、特許法第２９条第２項の規定に違反してなされたものであるから、特許を取り消すべき旨主張している。
イ．判断
〔本件請求項１に係る発明〕
　本件請求項１に係る発明は、上記（２）▲４▼で示したように、取消理由通知で示した各引用例に記載された発明と同一であるとも、それらから容易に発明をすることができたものとすることができない。
〔本件請求項２に係る発明〕
　本件請求項２に係る発明は、本件請求項１に係る発明の構成の一部をさらに限定したものであるから本件請求項１に係る発明と同様の判断となる。
ウ．むすび
　以上のとおりであるから、特許異議申立の理由及び証拠によっては、本件請求項１及び２に係る発明の特許を取り消すことはできない。
　また、他に本件請求項１及び２に係る発明の特許を取り消すべき理由を発見しない。
　よって、結論のとおり決定する。
【異議決定日】
平成１１年６月２４日（１９９９．６．２４）
【訂正の要旨】
訂正の要旨
特許請求の範囲の減縮を目的として、下記（１）のように特許請求の範囲を訂正する。また、特許請求の範囲の訂正に応じて、発明の詳細な説明についても、下記（２）のように訂正する。
（１）特許請求の範囲の請求項１を次のとおり訂正する。
「【請求項１】４５度ファラデー回転子の両側に楔形複屈折板を配設した非相反部と、その両側に位置するファイバーコリメータを具備する偏波依存型の光アイソレータにおいて、前記非相反部と一方のファイバーコリメータとの間に平行平板形複屈折板を挿入し、前記の両楔形複屈折板と平行平板形複屈折板は、それらの光学軸が入射光線に対して垂直な面内にあるように切り出されており、該平行平板形複屈折板とそれに隣り合う楔形複屈折板の光学軸を９０度ずらせて固定したことを特徴とする無偏波分散型光アイソレータ。」
（２）明細書中の段落【０００９】第５行乃至第６行（特許掲載公報第４欄第７行）の「挿入し、」を「挿入し、前記の両楔形複屈折板と平行平板形複屈折板は、それらの光学軸が入射光線に対して垂直な面内にあるように切り出されており、」と訂正する。
（５４）【発明の名称】
無偏波分散型光アイソレータ
（５７）【特許請求の範囲】
　【請求項１】　４５度ファラデー回転子の両側に楔形複屈折板を配設した非相反部と、その両側に位置するファイバーコリメータを具備する偏波無依存型の光アイソレーたにおいて、前記非相反部と一方のファイバーコリメータとの間に平行平板形複屈折板を挿入し、
前記の両楔形複屈折板と平行平板形複屈折板は、それらの光学軸が入射光線に対して垂直な面内にあるように切り出されており、
　【請求項２】　楔形複屈折板及び平行平板形複屈折板は全てルチル単結晶からなり、平行平板形複屈折板の厚さが両楔形複屈折板の光路通過部の厚みの和にほぼ等しい請求項１記載の無偏波分散型光アイソレータ。
【発明の詳細な説明】
　　【０００１】
　【産業上の利用分野】
　本発明は、楔形複屈折板を用いた非相反部の両側にファイバーコリメータを配設した偏波無依存型光アイソレータに関するものである。更に詳しく述べると、偏波無依存型光アイソレータの非相反部と一方のファイバーコリメータとの間に平行平板形複屈折板を挿入することにより、楔形複屈折板で生じる常光と異常光の光線速度差を打ち消すようにした無偏波分散型光アイソレータに関するものである。この光アイソレータは、特に遠距離・高速光通信で有用である。
　　　【０００２】
　　【従来の技術】
　光アイソレー夕は周知のように、一方向への光の通過は許容するが逆方向への光の通過は阻止する機能をもつ非可逆光デバイスであり、光ファイバー通信システム等において光部品からの反射戻り光を防ぐために数多く使用されている。
　　　【０００３】
　現在実用化されている光ファイバー通信システムは、送信側では光の強度を変調して情報を送り出し、受信側では光直接検波により光信号の強度を検知して情報を復調する方式が採られている。そこで、例えば海底光ケーブルのような遠距離光通信では、光ケーブルの途中に多数の光ファイバー増幅器を組み込むことで光信号を直接増幅して伝送することが検討されている。そのような場合には、数十個ないし百数十個もの光アイソレータを組み込む必要がある。
　　　【０００４】
　光アイソレー夕には種々の形式が開発されているが、上記のような光ケーブルに組み込むのに好適なものとしては、非相反部の両側に入射側及び出射側のファイバーコリメータを配置した偏波面に依存しない形式がある（特公昭６１−５８８０９号公報参照）。ここで非相反部は、４５度ファラデー回転子を２枚の楔形複屈折板で挾み結合一体化したものである。両楔形複屈折板は、それらの光学軸を４５度ずらせて配置する。
　　　【０００５】
　順方向においで、入射側ファイバーコリメータからの平行入力光は、非相反部の第１の楔形複屈折板によって常光と異常光に分離するが、ファラデー回転子により偏光面が４５度回転し、第２の楔形複屈折板によりそれぞれ平行光となるため、出射側ファイバーコリメータに結合する。逆方向では、反射戻り光も第２の楔形複屈折板によって常光と異常光に分離し、ファラデー回転子の非相反性によって偏光面が−４５度回転する。分離光は第１の楔形複屈折板において常光は異常光に、異常光は常光に変換するため、第１の楔形複屈折板を通過した後は平行光とならずに広がり、入射側ファイバーコリメータには結合しない。このようにして、一方向（順方向）への光の通過はほぼ１００％許容するが、逆方向への光の通過は阻止することになる。
　　　【０００６】
　　【発明が解決しようとする課題】
　上記のような光アイソレータによる順方向の光信号伝送においては、非相反部で常光と異常光に分離し、且つそれぞれの光線速度が異なるため、光信号伝達にずれが生じる。このずれは、楔形複屈折板として例えばルチル単結晶を使用し、その光路通過部の厚みが０．５ｍｍ程度である場合、時間差にして約０．８５ピコ程度である。出射側ファイバーコリメータでは、常光と異常光が合成されるから、そのずれの分だけ光信号波形に乱れ（光パルスの幅の広がり）が生じることになる。
　　　【０００７】
　この常光と異常光との光線速度差（偏波分散）に起因する光信号伝達時間のずれは、単一の光アイソレー夕ではかなり小さい。事実、現在行われている２．５Ｇｂｉｔ／ｓ程度の光通信速度ではあまり問題となっていない。しかし前記のように遠距離光通信（例えば海底光ケーブルによる光通信）システムでは、数十個〜百数十個の光アイソレータが組み込まれるため光信号波形の乱れが甚だしくなり、それを高速（例え．ば１０Ｇｂｉｔ／ｓ以上）で動作させる場合には、正確な情報伝達が困難となる。
　　　【０００８】
　本発明の目的は、上記のような従来技術の欠点を解消し、偏波分散を抑え、光信号の崩れ・乱れを最小限とし、それによって遠距離・高速光通信において正確な情報伝達が可能となるような偏波無依存型の光アイソレータを提供することである。
　　　【０００９】
　　【課題を解決するための手段】
　本発明は、４５度ファラデー回転子の両側にそれぞれ楔形複屈折板を配設した非相反部、その両側に位置するファイバーコリメータを具備している偏波無依存型の光アイソレータである。本発明の特徴は、このような光アイソレータにおいて、非相反部と一方のファイバーコリメータとの間に平行平板形複屈折板を挿入し、
前記の両楔形複屈折板と平行平板形複屈折板は、それらの光学軸が入射光線に対して垂直な面内にあるように切り出されており、
　　　【００１０】
　楔形複屈折板及び平行平板形複屈折板の材料としては、例えばルチル単結晶がある。平行平板形複屈折板の厚さは、両楔形複屈折板の光路通過部の厚みの和にほぼ等しくなるように設定するのが好ましい。平行平板形複屈折板は、非相反部のどちらの側に設けてもよい。
　　　【００１１】
　　【作用】
　光が順方向に入射する場合、非相反部では常光と異常光に分離し、両楔形複屈折板を通過する。楔形複屈折板では常光と異常光の屈折率が異なるため、出射光には光線速度差が生じる。非相反部の出射側に、光学軸が９０度ずれた平行平板形複屈折板が存在すると、それによって常光は異常光に、また異常光は常光に変換され、その平行平板形複屈折板を通過する。そのため光線速度差は打ち消されて、偏波分散の無い常光と異常光が平行に出射することになる。また非相反部の入射側に平行平板形複屈折板を配置した場合は、それによって常光と異常光に分離して光線速度差が生じ、それが非相反部で打ち消されて、結局、偏波分散の無い常光と異常光が平行に出射することになる。平行平板形複屈折板の厚さが非相反部両楔形複屈折板の光路通過部の厚みの和にほぼ等しくなるように設定されていれば、ほぼ完全に偏波分散を無くすことができる。
　　　【００１２】
　　【実施例】
　図１は本発明に係る無偏波分散型光アイソレータの一実施例を示す断面図である。この光アイソレータは、入射側ファイバーコリメータ１０と出射側ファイバーコリメータ２０の間に、非相反部３０と平行平板形複屈折板４０を配置して筐体５０に収容固定した構造である。ここでは平行平板形複屈折板４０は非相反部３０の出射側に設けている。入射側及び出射側ファイバーコリメータ１０，２０はほぼ同一であり、球レンズ１２，２２と、光ファイバー１４，２４を接続したフェルール１６，２６とを金属製スリーブ１８，２８内に収容した構造である。非相反部３０は、円筒状の永久磁石３２内に磁気光学素子３４を収容したファラデー回転子の両側に、２枚の楔形複屈折板３６，３８を配置した構造である。ここで磁気光学素子３４は例えばイットリウム鉄ガーネット単結晶からなる。楔形複屈折板３６，３８は例えばルチル単結晶からなり、光学軸が入射光線に対して垂直な面内にあるように傾斜を付けて切り出してある。平行平板形複屈折板４０例えばルチル単結晶からなり、光学軸が入射光線に対して垂直な面内にあるように切り出してある。その厚さは、両楔形複屈折板の光路通過部の厚みの和にほぼ等しい。
　　　【００１３】
　両楔形複屈折板３６，３８及び平行平板形複屈折板４０の各光学軸の関係を図２に示す。両楔形複屈折板３６，３８は、それぞれ厚肉部と薄肉部とが相対向するように配置され、両楔形複屈折板３６，３８の光学軸は互いに４５度ずれている。そして平行平板形複屈折板４０と楔形複屈折板３８の光学軸は互いに９０度ずれている。図２では順方向（破線矢印の方向）で見たとき、入射側の楔形複屈折板３６の光学軸はＹ軸に対して時計回りに２２．５度傾いた位置にあり、出射側の楔形複屈折板３８の光学軸はＹ軸に対して反時計回りに２２．５度傾いた位置にある。それ故、両者は互いに４５度ずれている。そして平行平板形複屈折板４０の光学軸は、Ｘ軸に対して反時計回りに２２．５度傾いており、それ故、出射側の楔形複屈折板３８の光学軸に対して９０度ずれていることになる。
　　　【００１４】
　組み立て手順は次のようにする。先ず入射側及び出射側ファイバーコリメータ１０，２０を製作し、非相反部３０を製作する。次に平行平板形複屈折板４０の光学軸が９０度ずれるように調整する。この調整は、非相反部に直線偏光を通すことによって容易に行える。そして両ファイバーコリメータを設けて光路調整を行う。
　　　【００１５】
　この光アイソレータの動作は次の通りである。図面において、順方向は紙面の左手から右手の方向であるとしている。光ファイバー１４からの入力光は球レンズ１２を通って非相反部３０に入射する。入射光は楔形複屈折板３６によって常光と異常光に分離し、ファラデー回転子により偏波面が４５度回転し、楔形複屈折板３８により平行光となる。平行平板形複屈折板４０の光学軸は、楔形複屈折板３８の光学軸に対して９０度ずれているから、該平行平板形複屈折板４０では常光は異常光に、、また異常光は常光にそれぞれ変換する。そして平行光のまま出射し、球レンズ２２により光ファイバー２４に集光する。逆方向からの反射戻り光は、平行平板形複屈折板４０によって常光と異常光に分離する。それらが楔形複屈折板３８に入射すると、常光は異常光に、また異常光は常光にそれぞれ変換して、該楔形複屈折板３８を通過する。そしてファラデー回転子により偏波面が４５度順方向の場合とは逆向きに回転する。楔形複屈折板３６において常光は異常光として屈折し、異常光は常光として屈折するため、出射光は平行とならずに広がり、球レンズ１２では光ファイバー１４には集光できない。つまり逆方向の反射戻り光は遮断される。このようにして従来同様のアイソレーション動作が行われる。
　　　【００１６】
　図３は順方向における偏波分散の発生・解消状況を示している。前述のように入射光は楔形複屈折板３６で常光（ｏ）と異常光（ｅ）に分離し、そのまま楔形複屈折板３６を通り、次の楔形複屈折板３８でも常光は常光、異常光は異常光のまま通過する。複屈折板では常光と異常光の屈折率が異なるので光線速度差が生じる。ルチル単結晶の場合、常光の屈折率ｎｏ＝２．４５３、異常光の屈折率ｎｅ＝２．７０９であり、常光の方が異常光よりも速く進む。両楔形複屈折板３６，３８の光路通過部厚さを約０．５ｍｍとすると、非相反部を出射する時点での常光と異常光との光路差δは時間差に換算して０．８５ピコ秒程度となる。平行平板形複屈折板４０では、常光と異常光が逆になり、分離光のうち遅れていた光線は速く進み、速く進んでいた光線は遅くなるため、両光線の速度差は小さくなる。平行平板形複屈折板４０の厚みを約１ｍｍ（楔形複屈折板２枚分）とすると、丁度光線速度差が打ち消され（δ≒０）、偏波分散が無くなる。つまり光アイソレー夕通過時の光信号の波形の乱れが最小となる。
　　　【００１７】
　上記の実施例では、平行平板形複屈折板を非相反部の順方向出射側に設けているが、非相反部の順方向入射側に設けることもできる。その場合、平行平板形複屈折板の光学軸は、それに隣り合う（即ち入射側の）楔形複屈折板の光学軸に対して９０度ずらせて固定する。また本発明では各光部品の形状、それを組み込む筐体の構造などは、適宜変更してよい。
　　　【００１８】
　　【発明の効果】
　本発明は上記のように、楔形複屈折板を用いた非相反部と一方のファイバーコリメー夕との間に平行平板形複屈折板を挿入し、該複屈折部材とそれに隣り合う楔形複屈折板の光学軸を９０度ずらせて配置したことにより、両楔形複屈折板と平行平板形複屈折板で常光と異常光とが変換され、分離光の光線速度差が打ち消されるため偏波分散を抑えることができる。つまり従来、偏波分散の生じていた偏波無依存型光アイソレー夕を無偏波分散型にすることができる。これによって光アイソレー夕を通過する際の光信号の崩れ・乱れを最小限に抑え、遠距離・高速光通信（例えば１０Ｇｂｉｔ／ｓ以上）で正確な情報伝達が可能となる。
【図面の簡単な説明】
　【図１】
本発明に係る無偏波分散型光アイソレー夕の一実施例を示す断面図。
　【図２】
両楔形複屈折板と平行平板形複屈折板の光学軸の関係を示す説明図。
　【図３】
偏波分散の発生・解消状況の説明図。
　【符号の説明】
１０　入射側ファイバーコリメータ
２０　出射側ファイバーコリメータ
３０　　非相反部
３２　　永久磁石
３４　　磁気光学素子
３６，３８　　楔形複屈折板
４０　　平行平板形複屈折板